(57)【要約】【課題】記録装置の引継ぎを、ＩＰネットワークを介して簡易に行うことができる映像受信装置、映像受信装置と接続される管理サーバ、および、映像配信システムを提供する。【解決手段】記録装置に記憶されているユーザＩＤと自身のユーザＩＤ、および、記録装置に記憶されている機器ＩＤと自身の機器ＩＤとを照合する記録装置照合部と、記録装置照合部が、記録装置に記憶されているユーザＩＤが自身のユーザＩＤと一致し、かつ、記録装置に記憶されている機器ＩＤが自身の機器ＩＤと異なると判断した場合に、ネットワークを介して接続される管理サーバに、ユーザＩＤと、記録装置に記憶されている機器ＩＤと、自身の機器ＩＤとを送信することで、記録装置の使用可否の問い合わせを行う問い合わせ部とを備えた。【選択図】図２
2015108935.tif 000002
【特許請求の範囲】
【請求項１】
映像コンテンツを受信し、接続されている記録装置に映像を送信する映像受信装置であって、
前記記録装置に記憶されているユーザＩＤと自身のユーザＩＤ、および、前記記録装置に記憶されている機器ＩＤと自身の機器ＩＤとを照合する記録装置照合部と、
前記記録装置照合部が、前記記録装置に記憶されているユーザＩＤが自身のユーザＩＤと一致し、かつ、前記記録装置に記憶されている機器ＩＤが自身の機器ＩＤと異なると判断した場合に、ネットワークを介して接続される管理サーバに、前記ユーザＩＤと、前記記録装置に記憶されている機器ＩＤと、前記自身の機器ＩＤとを送信することで、前記記録装置の使用可否の問い合わせを行う問い合わせ部とを備えた映像受信装置。
【請求項２】
前記管理サーバから使用可の問い合わせ結果を受信すると、前記記録装置に記憶されている機器ＩＤを、前記自身の機器ＩＤに更新する機器ＩＤ書き込み部をさらに備えた
ことを特徴とする請求項１記載の映像受信装置。
【請求項３】
前記映像コンテンツの使用に必要となるコンテンツ管理情報を記憶する記憶部と、
前記管理サーバから使用可の問い合わせ結果とともに送信されるコンテンツ管理情報を前記記憶部に反映させるコンテンツ管理情報処理部とをさらに備えた
ことを特徴とする請求項１記載の映像受信装置。
【請求項４】
前記コンテンツ管理情報処理部は、
前記記憶部に記憶されたコンテンツ管理情報を、前記管理サーバに送信する
ことを特徴とする請求項３記載の映像受信装置。
【請求項５】
前記ネットワークを介して映像表示装置とさらに接続され、
前記問い合わせ部は、前記管理サーバからユーザ認証指示情報を受信した場合、前記映像表示装置にユーザ認証表示画面を表示させ、前記映像表示装置が受け付けたユーザＩＤを受信し、前記管理サーバに送信する
ことを特徴とする請求項１記載の映像受信装置。
【請求項６】
映像配信サービスに加入し、ネットワークを介して接続される映像受信装置を使用するユーザに関する管理情報を保持する管理サーバであって、
前記ユーザのユーザＩＤと、前記ユーザが保有する新旧の前記映像受信装置の機器ＩＤとを対応付けて記憶するユーザ情報記憶部と、
前記映像受信装置から、前記映像受信装置が接続されている記録装置の使用可否の問い合わせを受信すると、前記ユーザ情報記憶部を参照して、前記問い合わせを行った映像受信装置から受信したユーザＩＤと前記記録装置に記憶されている機器ＩＤと前記映像受信装置の機器ＩＤとが、前記ユーザ情報記憶部に記憶されていた場合に、前記使用可否の問い合わせを行った映像受信装置による前記記録装置の使用を可とし、使用可の問い合わせ結果を、前記問い合わせを行った映像受信装置に送信するユーザ管理部とを備えた管理サーバ。
【請求項７】
前記映像受信装置のコンテンツ管理情報を、前記映像受信装置の機器ＩＤと対応付けて記憶するコンテンツ管理情報記憶部と、
前記ユーザ管理部が、前記記録装置の使用を可とした場合に、前記コンテンツ管理情報に対応付けられている機器ＩＤを、前記使用可否の問い合わせを行った映像受信装置の機器ＩＤに更新し、前記コンテンツ管理情報を前記使用可否の問い合わせを行った映像受信装置に送信するコンテンツ管理情報処理部とをさらに備えた
ことを特徴とする請求項６記載の管理サーバ。
【請求項８】
前記ユーザ管理部は、
前記問い合わせを行った映像受信装置から受信したユーザＩＤと前記記録装置に記憶された機器ＩＤと前記映像受信装置の機器ＩＤとのうち、前記映像受信装置の機器ＩＤが前記ユーザ情報記憶部に記憶されていなかった場合は、前記映像受信装置に対してユーザ認証指示情報を送信し、
前記映像受信装置が受け付けたユーザＩＤを受信すると、前記ユーザ情報記憶部を参照し、前記ユーザＩＤが前記ユーザ情報記憶部に記憶されていた場合に、前記映像受信装置による前記記録装置の使用を可とし、前記映像受信装置の機器ＩＤを前記ユーザ情報記憶部に記憶させる
ことを特徴とする請求項６記載の管理サーバ。
【請求項９】
映像コンテンツを受信し、接続されている記録装置に映像を送信する映像受信装置と、前記映像受信装置とネットワークを介して接続され、映像配信サービスに加入し、前記映像受信装置を使用するユーザに関する管理情報を保持する管理サーバとを備える映像配信システムにおいて、
前記映像受信装置は、
前記記録装置に記憶されているユーザＩＤと自身のユーザＩＤ、および、前記記録装置に記憶されている機器ＩＤと自身の機器ＩＤとを照合する記録装置照合部と、
前記記録装置照合部が、前記記録装置に記憶されているユーザＩＤが自身のユーザＩＤと一致し、かつ、前記記録装置に記憶されている機器ＩＤが自身の機器ＩＤと異なると判断した場合に、前記管理サーバに、前記ユーザＩＤと、前記記録装置に記憶されている機器ＩＤと、前記自身の機器ＩＤとを送信することで、前記記録装置の使用可否の問い合わせを行う問い合わせ部とを備え、
前記管理サーバは、
前記ユーザのユーザＩＤと、前記ユーザが保有する新旧の前記映像受信装置の機器ＩＤとを対応付けて記憶するユーザ情報記憶部と、
前記映像受信装置から、前記映像受信装置が接続されている記録装置の使用可否の問い合わせを受信すると、前記ユーザ情報記憶部を参照して、前記問い合わせを行った映像受信装置から受信したユーザＩＤと前記記録装置に記憶されている機器ＩＤと前記映像受信装置の機器ＩＤとが、前記ユーザ情報記憶部に記憶されていた場合に、前記使用可否の問い合わせを行った映像受信装置による前記記録装置の使用を可とし、使用可の問い合わせ結果を、前記問い合わせを行った映像受信装置に送信するユーザ管理部とを備えた映像配信システム。
【請求項１０】
前記映像受信装置は、前記ネットワークを介して映像表示装置とさらに接続され、前記問い合わせ部は、前記管理サーバからユーザ認証指示情報を受信した場合、前記映像表示装置にユーザ認証表示画面を表示させ、前記映像表示装置が受け付けたユーザＩＤを受信し、前記管理サーバに送信し、
前記ユーザ管理部は、前記問い合わせを行った映像受信装置から受信したユーザＩＤと前記記録装置に記憶された機器ＩＤと前記映像受信装置の機器ＩＤとのうち、前記映像受信装置の機器ＩＤが前記ユーザ情報記憶部に記憶されていなかった場合は、前記映像受信装置に対してユーザ認証指示情報を送信し、前記映像受信装置が受け付けたユーザＩＤを受信すると、前記ユーザ情報記憶部を参照し、前記ユーザＩＤが前記ユーザ情報記憶部に記憶されていた場合に、前記映像受信装置による前記記録装置の使用を可とし、前記映像信装置の機器ＩＤを前記ユーザ情報記憶部に記憶させる
ことを特徴とする請求項９記載の映像配信システム。
【請求項１１】
前記映像受信装置と前記管理サーバとの通信には、暗号化通信を用いる
ことを特徴とする請求項９または請求項１０記載の映像配信システム。
【発明の詳細な説明】
【技術分野】
【０００１】
この発明は、映像コンテンツを受信し記録する映像受信装置、映像受信装置とＩＰネットワークを介して接続される管理サーバ、映像受信装置に映像コンテンツを配信する映像配信システムに関するものである。
【背景技術】
【０００２】
従来の映像受信装置は、例えば特許文献１に開示されているように、ＩＰネットワークから映像コンテンツを受信し、コンテンツとコンテンツ管理情報（再生可能な残り時間・期限や残り回数、リムーバルメディアへの書き出し可能期限や残り回数・録画コンテンツの暗号鍵）を、異なる記録領域に記録し、コンテンツの記録領域はコピー可、コンテンツ管理情報の記録領域はコピー不可とする構成としている。このように構成されることで、コンテンツの記録領域、および、コンテンツの記録領域をコピーしたバックアップは、特定の映像受信装置に限定して再生が可能となり、他の映像受信装置での再生を防止することができ、コンテンツ保護とコンテンツの記録領域のバックアップの両立を実現していた。
【先行技術文献】
【特許文献】
【０００３】
【特許文献１】特開２００８−７７４９７号公報
【発明の概要】
【発明が解決しようとする課題】
【０００４】
しかしながら、従来の技術では、ある映像受信装置の映像コンテンツをその他の映像受信装置では再生できないため、映像受信装置の故障や、最新機種へのリプレースで機器を交換した場合などには、取りためた映像コンテンツの視聴ができなくなるという課題があった。
【０００５】
この発明は、上記のような課題を解決するためになされたものであり、記録装置の引継ぎを、ＩＰネットワークを介して簡易に行うことができる映像受信装置、映像受信装置と接続される管理サーバ、および、映像配信システムを提供することを目的とする。
【課題を解決するための手段】
【０００６】
上記目的を達成するため、この発明に係る映像受信装置は、映像コンテンツを受信し、接続されている記録装置に映像を送信する映像受信装置であって、記録装置に記憶されているユーザＩＤと自身のユーザＩＤ、および、記録装置に記憶されている機器ＩＤと自身の機器ＩＤとを照合する記録装置照合部と、記録装置照合部が、記録装置に記憶されているユーザＩＤが自身のユーザＩＤと一致し、かつ、記録装置に記憶されている機器ＩＤが自身の機器ＩＤと異なると判断した場合に、ネットワークを介して接続される管理サーバに、ユーザＩＤと、記録装置に記憶されている機器ＩＤと、自身の機器ＩＤとを送信することで、記録装置の使用可否の問い合わせを行う問い合わせ部とを備えたことを特徴とする。
【発明の効果】
【０００７】
この発明によれば、故障やリプレースで映像受信装置を切り替えるようなケースにおいても、過去に使用していた映像受信装置に対応付けられた記録装置を、新しく切り替えられた映像受信装置で引き続き使用することを可能とすることができる。
【図面の簡単な説明】
【０００８】
【図１】この実施の形態１に係る映像配信システムの構成を説明する図である。
【図２】この発明の実施の形態１の映像受信装置の構成図である。
【図３】この発明の実施の形態１の管理サーバの構成図である。
【図４】管理サーバの記憶部に記憶されている内容の一例を示す図である。
【図５】この発明の実施の形態１において、記録装置に接続された旧映像受信装置が、新映像受信装置に置き換えられるまでの流れを説明するシーケンス図である。
【図６】ユーザ情報記憶部の内容の一例を示す図である。
【図７】この発明の実施の形態１の新映像受信装置の動作を説明するフローチャートである。
【図８】この実施の形態１において、映像受信装置から記録装置の使用可否の問い合わせを受信した場合の管理サーバの動作を説明するフローチャートである。
【図９】コンテンツ管理情報記憶部の内容の一例を示す図である。
【図１０】この発明の実施の形態２の新映像受信装置の動作を説明するフローチャートである。
【図１１】この発明の実施の形態２において、新映像受信装置から記録装置の使用可否の問い合わせを受信した場合の管理サーバの動作を説明するフローチャートである。
【発明を実施するための形態】
【０００９】
以下、この発明の実施の形態について、図面を参照しながら詳細に説明する。
実施の形態１．
図１は、この実施の形態１に係る映像配信システムの構成を説明する図である。
映像配信システムは、映像受信装置１と、映像表示装置２と、記録装置３と、ルータ４と、映像配信サーバ６と、管理サーバ７とを備える。
【００１０】
映像受信装置１は、ルータ４を経由してＩＰネットワーク５に接続され、映像配信サーバ６から配信される映像コンテンツを受信し、映像表示装置２に映像を再生するとともに、記録装置３に映像を送信し、録画する。なお、記録装置３には、映像配信サービスに契約するユーザを特定するユーザＩＤと、記録装置３に紐付けられた映像受信装置の識別情報（機器ＩＤ）とが記憶されている。
【００１１】
管理サーバ７は、映像配信サービスに加入し、ＩＰネットワーク５を介して接続される映像受信装置１を使用するユーザに関する管理情報を保持し、映像受信装置１から記録装置３の使用許可の問い合わせを受け、保持している管理情報と照合し、使用可能と判断した場合に、映像受信装置１へ使用許可を応答する。
【００１２】
図２は、この発明の実施の形態１の映像受信装置１の構成図である。
映像受信装置１は、ネットワークＩ／Ｆ部１０と、表示処理部１１と、映像出力部１２と、記録装置Ｉ／Ｆ部１３と、記録装置処理部１４と、記憶部１５とを備える。
ネットワークＩ／Ｆ部１０は、ルータ４、ＩＰネットワーク５を経由して映像配信サーバ６と管理サーバ７とに接続され、映像配信サーバ６，管理サーバ７とデータの送受信を行なう。
【００１３】
表示処理部１１は、ネットワークＩ／Ｆ部１０が映像配信サーバから受信した映像コンテンツを受信し、映像表示装置２で表示可能となるよう再生処理を実行して、再生処理後の映像信号を映像出力部１２へ送信する。
映像出力部１２は、表示処理部１１から受信した映像信号を、映像表示装置２へ送信する。
【００１４】
記録装置Ｉ／Ｆ部１３は、記録装置３と接続され、記録装置処理部１４と記録装置３とのデータの送受信を行なう。
記録装置処理部１４は、ネットワークＩ／Ｆ部１０が映像配信サーバから受信した映像コンテンツを受信し、記録装置Ｉ／Ｆ部１３へ送信するとともに、映像コンテンツに含まれるコンテンツ管理情報を記憶部１５に記憶する。また、必要に応じて、接続されている記録装置３の使用可否の問い合わせを行なう。
【００１５】
記憶部１５は、コピー不可な領域であり、コンテンツ管理情報を記憶している。映像受信装置１で記録装置３を使用するには、記録装置３に録画した映像コンテンツのコンテンツ管理情報（再生可能な残り時間・期限や残り回数、リムーバルメディアへの書き出し可能期限や残り回数・録画コンテンツの暗号鍵）が必要となるが、ここでは、従来技術同様、不正コピー等の不正使用からコンテンツを保護するため、コンテンツ管理情報は映像受信装置１内のコピー不可な領域である記憶部１５に保持し、ユーザがバックアップコピーできない構成とする。
【００１６】
記録装置処理部１４は、記録装置照合部１０１と、問い合わせ部１０２と、機器ＩＤ書き込み部１０３と、コンテンツ管理情報処理部１０４とを備える。
記録装置照合部１０１は、記録装置Ｉ／Ｆ部１３経由で接続されている記録装置３に記憶されているユーザＩＤと自身、つまり、映像受信装置１のユーザＩＤ、および、記録装置３に記憶されている機器ＩＤと自身の機器ＩＤとを照合し、接続されている記録装置３が、新規の装置であるか否かを判断する。
【００１７】
問い合わせ部１０２は、記録装置照合部１０１が、接続されている記録装置３は新規の記録装置３であると判断した場合に、ネットワークＩ／Ｆ部１０経由で、管理サーバ７へ記録装置３の使用可否の問い合わせを送信する。
機器ＩＤ書き込み部１０３は、記録装置３の使用可否の問い合わせに対し、ネットワークＩ／Ｆ部１０経由で管理サーバ７から記録装置３の使用可の問い合わせ結果を受信した場合に、記録装置Ｉ／Ｆ部１３経由で、記録装置３に記憶されている機器ＩＤを自機の機器ＩＤを書き込んで更新する。
【００１８】
コンテンツ管理情報処理部１０４は、定周期、あるいは、コンテンツ管理情報の更新時に、ネットワークＩ／Ｆ部１０経由で、管理サーバ７へ、記憶部１５に記憶しているコンテンツ管理情報を送信する。また、必要に応じて、管理サーバ７から受信したコンテンツ管理情報を記憶部１５に記憶する。
【００１９】
図３は、この発明の実施の形態１の管理サーバ７の構成図である。
管理サーバ７は、ネットワークＩ／Ｆ部７０と、ユーザ管理部７１と、コンテンツ管理情報処理部７２と、記憶部７３とを備える。
【００２０】
ネットワークＩ／Ｆ部７０は、ＩＰネットワーク５、ルータ４を経由して映像受信装置１に接続され、管理サーバ７と映像受信装置１とのデータの送受信を行なう。
ユーザ管理部７１は、事業者と契約したユーザに関するユーザ情報（ユーザＩＤ、ユーザが保有する機器の識別情報（機器ＩＤ））を記憶部７３のユーザ情報記憶部７０１に記憶し、管理する。なお、ユーザが保有する機器とは、映像受信装置１のことである。
また、ユーザ管理部７１は、ネットワークＩ／Ｆ部７０経由で、映像受信装置１から記録装置３の使用可否の問い合わせを受信した場合、記憶部７３を参照して、使用を可とするか否かを判断する。
【００２１】
コンテンツ管理情報処理部７２は、ネットワークＩ／Ｆ部７０経由で、映像受信装置１からコンテンツ管理情報を受信し、記憶部７３のコンテンツ管理情報記憶部７０２へ記憶する。また、コンテンツ管理情報処理部７２は、映像受信装置１から記録装置３の使用可否の問い合わせを受信したユーザ管理部７１から、記録装置３の使用を可とする旨の通知を受信した場合、記憶部７３に記憶されている該当のユーザのコンテンツ管理情報を、ネットワークＩ／Ｆ部７０経由で、映像受信装置１へ送信する。
【００２２】
記憶部７３は、ユーザ情報記憶部７０１と、コンテンツ管理情報記憶部７０２とを備える。ユーザ情報記憶部７０１には、映像配信サービスに契約するユーザを特定するユーザＩＤと、該当のユーザが保有する機器の機器ＩＤとが対応付けて記憶されており、コンテンツ管理情報記憶部７０２には、ユーザが保有する映像受信装置１のコンテンツ管理情報が、ユーザＩＤと機器ＩＤとに対応付けて記憶されている。
【００２３】
図４は、管理サーバ７の記憶部７３に記憶されている内容の一例を示す図である。
図４に示すように、ユーザ情報記憶部７０１には、ユーザＩＤと、該当のユーザが保有する映像受信装置１の機器ＩＤとが対応づけられて記憶されている。
また、コンテンツ管理情報記憶部７０２には、ユーザＩＤと、該当のユーザが保有する映像受信装置１の機器ＩＤと、その機器ＩＤを持つ映像受信装置１のコンテンツ管理情報が記憶されている。なお、コンテンツ管理情報とは、再生可能な残り時間・期限や残り回数、リムーバルメディアへの書き出し可能期限や残り回数・録画コンテンツの暗号鍵などである。
【００２４】
また、ユーザ情報記憶部７０１とコンテンツ管理情報記憶部７０２とはユーザＩＤで紐づけられている。
また、ユーザ情報記憶部７０１に記憶される機器ＩＤは、図４では１つのみを記憶しているが、１つのユーザＩＤに対して複数の機器ＩＤを記憶することが可能となっており、映像受信装置１を入れ替えた場合にはその履歴、つまり、新旧の機器ＩＤを管理することができる。
【００２５】
次に、この発明の実施の形態１に係る映像配信システムの映像受信装置１および管理サーバ７の動作について説明する。
ここでは、もともと映像受信装置（旧映像受信装置とする）１ａが、記録装置３に接続され、映像コンテンツの録画、再生には、旧映像受信装置１ａを使用していたが、故障やリプレースのため、映像受信装置（新映像受信装置とする）１ｂに置き換えられるものとして以下説明する。なお、新旧の映像受信装置１ａ，１ｂは、ともに同じユーザのものであり、同じユーザＩＤ（ＡＡ）を保持しているものとし、旧映像受信装置１ａの機器ＩＤはａａａａ、新映像受信装置１ｂの機器ＩＤはｂｂｂｂであるものとする。
【００２６】
図５は、この発明の実施の形態１において、記録装置３に接続された旧映像受信装置１ａが、新映像受信装置１ｂに置き換えられるまでの流れを説明するシーケンス図である。
まず、もともと記録装置３には、旧映像受信装置１ａが接続されていたため、前提として、記録装置３には、記録装置３の使用を許可されたユーザのユーザＩＤ（ＡＡ）と、記録装置３と紐付けられた、つまり、記録装置３に映像コンテンツの録画、再生を許可された旧映像受信装置１ａに固有のＩＤである機器ＩＤ（ａａａａ）が、旧映像受信装置１ａが接続されて使用される初期段階で登録され、記憶されている（ステップＳＴ００１）。
また、この時、管理サーバ７の記憶部７３には、ユーザのユーザＩＤ（ＡＡ）と旧映像受信装置１ａの機器ＩＤ（ａａａａ）が対応付けられて記憶されている（ステップＳＴ００２。図４参照）。
【００２７】
旧映像受信装置１ａでは、コンテンツ管理情報の更新があった場合（ステップＳＴ００３）、または、設定された周期が経過すると（ステップＳＴ００４）、管理サーバ７に対してコンテンツ管理情報を通知し（ステップＳＴ００５）、コンテンツ管理情報のバックアップを生成する。管理サーバ７では、旧映像受信装置１ａからコンテンツ管理情報を受信し、コンテンツ管理情報記憶部７０２に記憶している、ユーザＩＤ（ＡＡ），機器ＩＤ（ａａａａ）に対応するコンテンツ管理情報を最新の状態に更新している。
【００２８】
ここで、旧映像受信装置１ａが故障した、あるいは、リプレースなどで、新映像受信装置１ｂへの入れ換えが行なわれるとする（ステップＳＴ００６）。つまり、記録装置３には、新映像受信装置１ｂが接続されるようになったとする。
この時、管理サーバ７には新映像受信装置１ｂの情報が登録され、管理サーバ７の記憶部７３のユーザ情報記憶部７０１には、新たにユーザＩＤ（ＡＡ）を持つユーザの使用する新映像受信装置１ｂの機器ＩＤ（ｂｂｂｂ）が記憶される（ステップＳＴ００７）。
【００２９】
具体的には、図６に示すように、記憶部７３のユーザ情報記憶部７０１に、ユーザＩＤ（ＡＡ）に対応づけられた機器ＩＤに新映像受信装置１ｂの機器ＩＤ（ｂｂｂｂ）が追加される。なお、ここでは、ユーザ情報記憶部７０１は、図６に示すように、２世代まで、つまり、映像受信装置１の入れ替えがあった場合の新旧の映像受信装置１ａ，１ｂの機器ＩＤのみを記憶しておくようにしているが、これに限らず、さらに過去に映像受信装置１の入れ替えがあった場合には履歴を全て記憶しておくようにしてもよい。
【００３０】
新たに記録装置３に接続されることになった新映像受信装置１ｂは、記録装置３に記憶されているユーザＩＤと機器ＩＤの読み出しを行なう（ステップＳＴ００８）。なお、この時点で記録装置３から読み出される機器ＩＤは、旧映像受信装置１ａの機器ＩＤ（ａａａａ）である。
新映像受信装置１ｂは、ステップＳＴ００８で読み出したユーザＩＤ、機器ＩＤと、自機のユーザＩＤ、機器ＩＤとを比較し、ユーザＩＤが同じかどうか（ステップＳＴ００９）、機器ＩＤが同じかどうか（ステップＳＴ０１１）の判定を行なう。ここで、そもそも、ユーザＩＤが相違する場合（ステップＳＴ００９の“ＮＯ”の場合）は、記録装置３は使用不可であると判断する（ステップＳＴ０１０）。
ステップＳＴ００９，ステップＳＴ０１１の判定後、ユーザＩＤは同じで、かつ、自機の機器ＩＤが記録装置３に登録されている機器ＩＤと異なると判断すると、新映像受信装置１ｂは、管理サーバ７に対して、記録装置３の使用可否の問い合わせを行なう（ステップＳＴ０１２）。
【００３１】
新映像受信装置１ｂから使用可否の問い合わせを受信した管理サーバ７は、新映像受信装置１ｂが記録装置３を使用することを許可するかどうかの判定を行なう。具体的には、新映像受信装置１ｂの機器ＩＤが登録されているかどうかを判定することで使用を許可するかどうかを判断する（ステップＳＴ０１３）。
管理サーバ７は、新映像受信装置１ｂが記録装置３を使用することを許可した場合、使用可である旨の通知と、新映像受信装置１ｂに反映すべきコンテンツ管理情報を、新映像受信装置１ｂに送信する（ステップＳＴ０１４）。
一方、新映像受信装置１ｂが記録装置３を使用することを許可しない場合、管理サーバ７は、使用不可である旨の通知を、新映像受信装置１ｂに送信する（ステップＳＴ０１５）。
【００３２】
新映像受信装置１ｂは、管理サーバ７から、記録装置３が使用可である旨の通知を受信したかどうかを判定して（ステップＳＴ０１６）、使用可であれば受信したコンテンツ管理情報を反映し（ステップＳＴ０１７）、使用不可であれば、記録装置３は使用不可であると判断する（ステップＳＴ０１０）。
新映像受信装置１ｂは、記録装置３に自機の機器ＩＤ（ｂｂｂｂ）を登録し、記録装置３に記憶されている機器ＩＤを更新する（ステップＳＴ０１８）。このようにして、新映像受信装置１ｂにおいて、記録装置３が使用可能となる。
【００３３】
このように、もともと記録装置３に接続されていた旧映像受信装置１ａから、置き換えた新映像受信装置１ｂで記録装置３を継続使用するには、記録装置３に録画した映像コンテンツのコンテンツ管理情報（再生可能な残り時間・期限や残り回数、リムーバルメディアへの書き出し可能期限や残り回数・録画コンテンツの暗号鍵）が必要となるが、旧映像受信装置１ａでは、従来技術同様、不正コピー等の不正使用からコンテンツを保護するため、コンテンツ管理情報は、旧映像受信装置１ａ内のコピー不可な領域（記憶部１５）に保持し、ユーザがバクアップコピーできない構成となっているので、この実施の形態１では、管理サーバ７を介して、コンテンツ管理情報を旧映像受信装置１ａから新映像受信装置１ｂに引き継ぐことで、新映像受信装置１ｂが記録装置３の映像コンテンツを引き続き使用可能となる。
【００３４】
なお、上述した、新映像受信装置１ｂにおける、ステップＳＴ００８〜ステップＳＴ０１２、ステップＳＴ０１６〜ステップＳＴ０１７までの処理、および、管理サーバ７における、ステップＳＴ０１３〜ステップＳＴ０１５の処理の詳細については後述する。
【００３５】
図７は、この発明の実施の形態１の新映像受信装置１ｂの動作を説明するフローチャートである。
ここでは、引き続き、もともと旧映像受信装置１ａ（機器ＩＤ：ａａａａ）が記録装置３に接続され、映像コンテンツの録画、再生には旧映像受信装置１ａを使用していたが、故障やリプレースのため、新映像受信装置１ｂ（機器ＩＤ：ｂｂｂｂ）に置き換えられるものとして、図７に沿って、新映像受信装置１ｂにおける図５のステップＳＴ００８〜ステップＳＴ０１２、ステップＳＴ０１６〜ステップＳＴ０１８までの処理の詳細について説明する。
なお、図７において、図５のステップＳＴ００８〜ステップＳＴ０１２、ステップＳＴ０１６〜ステップＳＴ０１８にあたるステップについては同じステップ番号を付している。
【００３６】
新映像受信装置１ｂの記録装置Ｉ／Ｆ部１３が、記録装置３の接続を検出すると（ステップＳＴ１）、記録装置照合部１０１は、記録装置３からユーザＩＤと機器ＩＤとを取得する（ステップＳＴ００８）。ここでは、もともと旧映像受信装置１ａが記録装置３に接続されていたため、記録装置照合部１０１は、ユーザＩＤ（ＡＡ）と機器ＩＤ（ａａａａ）を取得する。
【００３７】
記録装置照合部１０１は、接続されている記録装置３が新規の装置であるかどうかを判断する。具体的には、まず、記録装置照合部１０１は、新映像受信装置１ｂが保持するユーザＩＤ（ＡＡ）と、ステップＳＴ００８で記録装置３から取得したユーザＩＤ（ＡＡ）とが同じかどうかを判定する（ステップＳＴ００９）。
【００３８】
ステップＳＴ００９において、新映像受信装置１ｂのユーザＩＤと、記録装置３から取得したユーザＩＤとが同じではなかった場合（ステップＳＴ００９の“ＮＯ”の場合）、記録装置照合部１０１は、接続されている記録装置３は使用不可であると判断し（ステップＳＴ０１０）、処理終了する。
【００３９】
一方、ステップＳＴ００９において、新映像受信装置１ｂのユーザＩＤと、記録装置３から取得したユーザＩＤとが同じであった場合（ステップＳＴ００９の“ＹＥＳ”の場合）、記録装置照合部１０１は、新映像受信装置１ｂが保持する機器ＩＤ（ｂｂｂｂ）と、ステップＳＴ２で記録装置３から取得した機器ＩＤ（ａａａａ）とが同じかどうかを判定する（ステップＳＴ０１１）。
【００４０】
ここでは、ユーザＩＤは同じ、機器ＩＤは相違すると判断されるが、ステップＳＴ０１１において、新映像受信装置１ｂの機器ＩＤと、記録装置３から取得した機器ＩＤとが同じであった場合（ステップＳＴ０１１の“ＹＥＳ”の場合）には、記録装置照合部１０１は、接続されている記録装置３は使用可であると判断し（ステップＳＴ２）、処理終了する。そして、記録装置３にある映像コンテンツの再生や、映像配信サーバ６から受信した映像コンテンツの録画のため、記録装置３を使用する。なお、新映像受信装置１ｂへの置き換えが行なわれなければ、このようにして、映像受信装置１ａは、記録装置３を使用する。
【００４１】
一方、ステップＳＴ０１１において、新映像受信装置１ｂの機器ＩＤと、記録装置３から取得した機器ＩＤとが同じではなかった場合（ステップＳＴ０１１の“ＮＯ”の場合）、記録装置３が不正使用されている可能性があるとして、問い合わせ部１０２は、ネットワークＩ／Ｆ部１０経由で、管理サーバ７へ記録装置３の使用可否の問い合わせを行なう（ステップＳＴ０１２）。具体的には、問い合わせ部１０２は、ステップＳＴ００８で記録装置３から読み出したユーザＩＤおよび機器ＩＤと、自身の機器ＩＤとを管理サーバ７へ送信する。ここでは、記録装置３に接続されていた旧映像受信装置１ａから同じユーザの新映像受信装置１ｂへの置き換えが行なわれたものとしているので、この使用可否の問い合わせが行なわれ、問い合わせ部１０２は、ステップＳＴ００８で記録装置３から読み出したユーザＩＤ（ＡＡ）および機器ＩＤ（ａａａａ）と、自身の機器ＩＤ、すなわち、新映像受信装置１ｂの機器ＩＤ（ｂｂｂｂ）とを、管理サーバ７へ送信する。
【００４２】
そして、ネットワークＩ／Ｆ部１０経由で、管理サーバ７から送信された問い合わせ結果が受信されるのを待つ。管理サーバ７では、図５のステップＳＴ０１３〜ステップＳＴ０１５を行ない、問い合わせ結果を送信する。この処理の詳細については、図８に示すフローチャートに基づいて後述する。なお、新映像受信装置１ｂと管理サーバ７との通信には、ＳＳＬ等の暗号化通信を用いることで、ユーザＩＤや機器ＩＤの盗聴を防止する。
管理サーバ７から送信された問い合わせ結果をネットワークＩ／Ｆ部１０経由で受信すると、問い合わせ部１０２は、問い合わせの結果が使用可であったかどうかを判定する（ステップＳＴ０１６）。
ステップＳＴ０１６において、使用可でなかった場合（ステップＳＴ０１６の“ＮＯ”の場合）、問い合わせ部１０２は、記録装置３は使用不可として（ステップＳＴ０１０）、処理終了する。
【００４３】
ステップＳＴ０１６において、使用可であった場合（ステップＳＴ０１６の“ＹＥＳ”の場合）、コンテンツ管理情報処理部１０４は、管理サーバ７から、使用可の問い合わせ結果とともに送信されたコンテンツ管理情報を記憶部１５に記憶する（ステップＳＴ０１７）。
機器ＩＤ書き込み部１０３は、記録装置Ｉ／Ｆ部１３経由で、記録装置３に記憶されている機器ＩＤを自身の機器ＩＤ、つまり、新映像受信装置１ｂの機器ＩＤ（ｂｂｂｂ）を書き込んで、記録装置３の機器ＩＤを更新する（ステップＳＴ０１８）。つまり、記録装置３には、ユーザＩＤ（ＡＡ）と機器ＩＤ（ｂｂｂｂ）とが記憶されることになる。そして、新映像受信装置１ｂによって記録装置３が使用可となる（ステップＳＴ２）。
【００４４】
このように、記録装置３に記憶されていた旧映像受信装置１ａの機器ＩＤを新映像受信装置１ｂの機器ＩＤに書き換えることで、以降は、記録装置３と新映像受信装置１ｂとの間でのユーザＩＤと機器ＩＤの照合のみで（ステップＳＴ００９，ステップＳＴ０１１）、記録装置３の使用を可能とする。
なお、新映像受信装置１ｂへの切り換えが行なわれ、新映像受信装置１ｂが記録装置３を使用可能な状態となった後は、図５のステップＳＴ００３，ステップＳＴ００４同様、新映像受信装置１ｂは、コンテンツ管理情報の更新があった場合、または、設定された周期が経過すると、管理サーバ７に対してコンテンツ管理情報を通知し、コンテンツ管理情報のバックアップを生成する。
【００４５】
図８は、この実施の形態１において、映像受信装置１から記録装置３の使用可否の問い合わせを受信した場合の管理サーバ７の動作を説明するフローチャートである。
ここでは、図８に沿って、旧映像受信装置１ａ（機器ＩＤ：ａａａａ）が記録装置３に接続され、映像コンテンツの録画、再生には旧映像受信装置１ａを使用していたが、故障やリプレースのため、新映像受信装置１ｂ（機器ＩＤ：ｂｂｂｂ）に置き換えられ、新映像受信装置１ｂから記録装置３の使用可否の問い合わせがあったものとして、管理サーバ７における、図５のステップＳＴ０１３〜ステップＳＴ０１５の処理の詳細について説明する。
なお、図８において、図５のステップＳＴ０１３〜ステップＳＴ０１５にあたるステップについては同じステップ番号を付している。
【００４６】
ユーザ管理部７１は、ネットワークＩ／Ｆ部７０経由で、新映像受信装置１ｂから記録装置３の使用可否の問い合わせを受信する（ステップＳＴ２１）。なお、新映像受信装置１ｂからは、ユーザＩＤ（ＡＡ）と、記録装置３に記憶されている機器ＩＤ（ａａａａ）と、新映像受信装置１ｂの機器ＩＤ（ｂｂｂｂ）とが送信される（図４のステップＳＴ０１２参照）。
【００４７】
ユーザ管理部７１は、使用を可とするか否かを判断する。具体的には、ユーザ管理部７１は、ステップＳＴ２１で受信したユーザＩＤに紐づけられて、ステップＳＴ２１で受信した旧映像受信装置１ａの機器ＩＤと、問い合わせを行った新映像受信装置１ｂの機器ＩＤとが登録されているかどうか、つまり、記憶部７３のユーザ情報記憶部７０１に記憶されているかどうかを判定する（ステップＳＴ０１３）。
【００４８】
ステップＳＴ０１３において、旧映像受信装置１ａおよび新映像受信装置１ｂの機器ＩＤがユーザ情報記憶部７０１に記憶されていなかった場合（ステップＳＴ０１３の“ＮＯ”の場合）、ユーザ管理部７１は、使用不可と判断し、使用不可の通知をネットワークＩ／Ｆ部７０に出力し（ステップＳＴ２２）、ネットワークＩ／Ｆ部７０は、使用不可の通知を新映像受信装置１ｂへ送信する（ステップＳＴ０１５）。
【００４９】
一方、ステップＳＴ０１３において、旧映像受信装置１ａおよび新映像受信装置１ｂの機器ＩＤがユーザ情報に記憶されていた場合（ステップＳＴ０１３の“ＹＥＳ”の場合）、ユーザ管理部７１は、使用を可とし、使用可の問い合わせ結果をネットワークＩ／Ｆ部７０とコンテンツ管理情報処理部７２とに出力する（ステップＳＴ２３）。
ここでは、新映像受信装置１ｂは管理サーバ７に登録され（図５のステップＳＴ００７）、図６に示すように、管理サーバ７のユーザ情報記憶部７０１には、ユーザＩＤ（ＡＡ）に紐付けられ、旧映像受信装置１ａの機器ＩＤ（ａａａａ）と新映像受信装置１ｂの機器ＩＤとが記憶されている（ｂｂｂｂ）。したがって、ステップＳＴ０１３では、ユーザ管理部７１は、旧映像受信装置１ａおよび新映像受信装置１ｂの機器ＩＤがユーザ情報に記憶されていると判断し、使用可の通知を出力する（ステップＳＴ２３）。
【００５０】
コンテンツ管理情報処理部７２は、ステップＳＴ２３において、ユーザ管理部７１から使用可の通知を受信すると、記憶部７３のコンテンツ管理情報記憶部７０２に記憶している、ユーザＩＤに関する機器ＩＤとコンテンツ管理情報について、コンテンツ管理情報に対応付けられている機器ＩＤを、使用可否の問い合わせを行った映像受信装置１ｂの機器ＩＤに更新し、対応するコンテンツ管理情報をネットワークＩ／Ｆ部７０へ出力する。（ステップＳＴ２４）。具体的には、ここでは、図４に示すように、コンテンツ管理情報記憶部７０２には、ユーザＩＤ（ＡＡ）について、機器ＩＤ（ａａａａ）とコンテンツ管理情報（残１８時間、残９回）とが対応付けられて記憶されていたとすると、コンテンツ管理情報処理部７２は、図４の機器ＩＤ（ａａａａ）を新映像受信装置１ｂの機器ＩＤ（ｂｂｂｂ）に更新し（図９参照）、機器ＩＤ（ｂｂｂｂ）とコンテンツ管理情報（残１８時間、残９回）とが対応づけられるようにする。そして、新映像受信装置１ｂの機器ＩＤ（ｂｂｂｂ）に対応づけられたコンテンツ管理情報（残１８時間、残９回）をネットワークＩ／Ｆ部７０へ出力する。
ネットワークＩ／Ｆ部７０は、ステップＳＴ２３においてユーザ管理部７１が出力した使用可の通知と、ステップＳＴ２４においてコンテンツ管理情報が出力したコンテンツ管理情報とを受信し、新映像受信装置１ｂ、つまり、問い合わせを行った映像受信装置１へ送信する（ステップＳＴ０１４）。
【００５１】
このように、映像配信サービスを提供する事業者が管理する管理サーバ７には、事業者と契約したユーザが保有する、または、過去保有していた、新旧の映像受信装置１の機器ＩＤ、すなわち、この実施の形態1では、旧映像受信装置１ａの機器ＩＤおよび新映像受信装置１ｂの機器ＩＤと、ユーザＩＤの組み合わせの情報とが記憶されており、新たに使用されるようになった映像受信装置１、すなわち、新映像受信装置１ｂから、記録装置３の使用可否の問い合わせを受信すると、管理サーバ７は、問い合わせのあったユーザＩＤと機器ＩＤ（旧映像受信装置１ａと新映像受信装置１ｂの機器ＩＤ）と、記憶部７３の内容とを照合し、一致する場合は、当該記録装置３の使用を可とする応答をする。この際、管理サーバ７は、使用可を通知とともにコンテンツ管理情報を新映像受信装置１ｂに送信し、新映像受信装置１ｂは、受信したコンテンツ管理情報を自機に反映して、記録装置３に記録された映像コンテンツが使用可能となる。
【００５２】
以上説明したように、この実施の形態１によれば、故障やリプレースで映像受信装置１を切り替えるようなケースにおいても、過去に使用していた映像受信装置１ａに対応付けられた記録装置３を、新映像受信装置１ｂで引き続き使用可能とすることができる。
【００５３】
実施の形態２．
実施の形態１では、置き換えを行なう前の旧映像受信装置１ａの機器ＩＤと、置き換えを行なう新映像受信装置１ｂの機器ＩＤが、当該ユーザのユーザＩＤとの組で、管理サーバ７に登録されていることを前提としていたが（図６参照）、新映像受信装置１ｂが管理サーバ７に未登録のケースも考えられる。その場合、実施の形態１では、新映像受信装置１ｂからの記録装置３の使用可否の問い合わせに対し、管理サーバ７は、使用不可の通知を送信することになる。
この実施の形態２では、管理サーバ７に新映像受信装置１ｂの登録がされていないことを想定し、その場合に、ユーザを特定するためのユーザＩＤの入力を受け付けるようにすることで、ユーザが特定されれば、記録装置３を使用可とする実施の形態について説明する。
【００５４】
この発明の実施の形態２に係る映像配信システム、映像受信装置１、および、管理サーバ７の構成は、実施の形態１で説明したものと同様であるため詳細な説明を省略する。
動作について、実施の形態１同様、もともと旧映像受信装置１ａ（機器ＩＤ：ａａａａ）が記録装置３に接続され、映像コンテンツの録画、再生には旧映像受信装置１ａを使用していたが、故障やリプレースのため、新映像受信装置１ｂ（機器ＩＤ：ｂｂｂｂ）に置き換えられるものとして、以下説明する。また、新旧の映像受信装置１ａ，１ｂは、ともに同じユーザのものであり、同じユーザＩＤ（ＡＡ）を保持しているものとする。
ただし、この実施の形態２では、管理サーバ７において、新映像受信装置１ｂの機器ＩＤの登録が行なわれていないものとする。つまり、管理サーバ７のユーザ情報記憶部７０１には、図４に示すように、ユーザＩＤ（ＡＡ）に対応付けられた機器ＩＤは、旧映像受信装置１ａの機器ＩＤ（ａａａａ）のみの状態であるとする。
【００５５】
図１０は、この発明の実施の形態２の新映像受信装置１ｂの動作を説明するフローチャートである。
図１１は、この発明の実施の形態２において、新映像受信装置１ｂから記録装置３の使用可否の問い合わせを受信した場合の管理サーバ７の動作を説明するフローチャートである。
まず、図１０に沿って、新映像受信装置１ｂの動作について説明する。なお、実施の形態１において図７で説明したものと同様の動作については同じステップ番号を付して重複した説明を省略し、図７と異なる動作についてのみ説明する。
【００５６】
ステップＳＴ０１１において、新映像受信装置１ｂの機器ＩＤと、記録装置３から取得した機器ＩＤとが同じではなかった場合（ステップＳＴ０１１の“ＮＯ”の場合）、記録装置３が不正使用されている可能性があるとして、問い合わせ部１０２は、ネットワークＩ／Ｆ部１０経由で、管理サーバ７へ記録装置３の使用可否の問い合わせを行い（ステップＳＴ０１２）、ネットワークＩ／Ｆ部１０経由で、管理サーバ７から送信された問い合わせ結果が受信されるのを待つ。
管理サーバ７から送信された問い合わせ結果をネットワークＩ／Ｆ部１０経由で受信すると、問い合わせ部１０２は、問い合わせの結果が使用可であったかどうかを判定する（ステップＳＴ０１６）。
【００５７】
ステップＳＴ０１６において、使用可であった場合（ステップＳＴ０１６の“ＹＥＳ”の場合）、ステップＳＴ０１７へ進み、以降実施の形態１と同様の処理を行なう。
ステップＳＴ０１６において、使用可でなかった場合（ステップＳＴ０１６の“ＮＯ”の場合）、問い合わせ部１０２は、管理サーバ７から、ユーザ認証指示情報を受信したかどうかを判定する（ステップＳＴ３）。
ステップＳＴ３において、ユーザ認証指示情報を受信していない場合（ステップＳＴ３の“ＮＯ”の場合）、問い合わせ部１０２は、記録装置３は使用不可として（ステップＳＴ０１０）、処理終了する。
一方、ステップＳＴ３において、ユーザ認証指示情報を受信した場合（ステップＳＴ３の“ＹＥＳ”の場合）、問い合わせ部１０２は、映像出力部１２に対して、保守用ユーザインタフェースを表示するよう指示する（ステップＳＴ４）。つまり、問い合わせ部１０２は、映像表示装置２に、ユーザ認証画面を表示させ、ユーザによるユーザＩＤの入力を受け付ける。映像出力部１２は、映像表示装置２に保守用ユーザインタフェースを表示し、ユーザを特定するためのユーザＩＤの入力を促す。
【００５８】
問い合わせ部１０２は、ネットワークＩ／Ｆ部１０経由で、管理サーバ７へ、ステップＳＴ００８で記録装置３から読み出した機器ＩＤと、ステップＳＴ４で受信したユーザＩＤと、自身の機器ＩＤとを管理サーバ７へ送信する（ステップＳＴ５）。そして、ステップＳＴ０１６に戻り、ネットワークＩ／Ｆ部１０経由で、管理サーバ７から送信された問い合わせ結果が受信されるのを待つ。
【００５９】
管理サーバ７では、後述する処理において、ステップＳＴ５で映像受信装置１ｂが送信したユーザＩＤに基づき、記録装置３の使用可否の判定を行い、結果を返答する。この管理サーバ７の処理については図１１を用いて後述する。
管理サーバ７から使用可否の問い合わせ結果を受信すると、ステップＳＴ０１６以降の処理を行う。
つまり、管理サーバ７から使用不可が通知されると、ステップＳＴ３からの処理を繰り返す。一方、管理サーバ７から使用可が通知されると、実施の形態１同様、ステップＳＴ０１７の処理を行い、記録装置３に記憶されていた旧映像受信装置１ａの機器ＩＤを新映像受信装置１ｂの機器ＩＤに書き換えることで、以降は、記録装置３と新映像受信装置１ｂとの間でのユーザＩＤと機器ＩＤの照合のみで（ステップＳＴ００９，ステップＳＴ０１１）、記録装置３の使用を可能とする。
【００６０】
なお、実施の形態１同様、新映像受信装置１ｂへの切り換えが行なわれ、新映像受信装置１ｂが記録装置３を使用可能な状態となった後は、新映像受信装置１ｂは、コンテンツ管理情報の更新があった場合、または、設定された周期が経過すると、管理サーバ７に対してコンテンツ管理情報を通知し、コンテンツ管理情報のバックアップを生成する。
【００６１】
次に、実施の形態２において、映像受信装置１から記録装置３の使用可否の問い合わせを受信した場合の管理サーバ７の動作について、図１１に沿って説明する。なお、実施の形態１において図８で説明したものと同様の動作については同じステップ番号を付して重複した説明を省略し、図８と異なる動作についてのみ説明する。
【００６２】
ユーザ管理部７１は、旧映像受信装置１ａおよび新映像受信装置１ｂの機器ＩＤがユーザ情報記憶部７０１に記憶されていなかった場合（ステップＳＴ０１３の“ＮＯ”の場合）、ステップＳＴ２７に進む。
ステップＳＴ２７において、ユーザ管理部７１は、問い合わせを行った新映像受信装置１ｂから受信したユーザＩＤと記録装置３に記憶された機器ＩＤと新映像受信装置１ｂの機器ＩＤとのうち、新映像受信装置１ｂの機器ＩＤのみがユーザ情報記憶部７０１に記憶されていなかったかどうかを判定する（ステップＳＴ２７）。
新映像受信装置１ｂの機器ＩＤのみが記憶されていないのではなかった場合（ステップＳＴ２７の“ＮＯ”の場合）、ユーザ管理部７１は、使用不可と判断し、使用不可の通知をネットワークＩ／Ｆ部７０に出力し（ステップＳＴ２２）、ネットワークＩ／Ｆ部７０は、使用不可の通知を新映像受信装置１ｂへ送信する（ステップＳＴ０１５）。
【００６３】
ステップＳＴ２７において、新映像受信装置１ｂの機器ＩＤのみが記憶されていなかった場合（ステップＳＴ２７の“ＹＥＳ”の場合）、ユーザ管理部７１は、新映像受信装置１ｂに対し、ネットワークＩ／Ｆ部７０経由で、ユーザ認証指示情報を送信する（ステップＳＴ２８）。そして、新映像受信装置１ｂから、ユーザＩＤ（ＡＡ）、記録装置３に記憶された機器ＩＤ（ａａａａ）、新映像受信装置１ｂの機器ＩＤ（ｂｂｂｂ）を受信するのを待つ。なお、ここでは、図４のように管理サーバ７には新映像受信装置１ｂの機器ＩＤ（ｂｂｂｂ）のみが登録されていないものとしているので、ユーザ管理部７１は、ユーザ認証指示情報を送信する。
【００６４】
新映像受信装置１ｂから、ユーザＩＤ、記録装置３に記憶された機器ＩＤ、新映像受信装置１ｂの機器ＩＤを受信すると（ステップＳＴ２９）、ユーザ管理部７１は、ステップＳＴ２９で受信したユーザＩＤは正規のユーザＩＤであるかどうかの判定を行なう（ステップＳＴ３０）。具体的には、ユーザ管理部７１は、ステップＳＴ２７で受信したユーザＩＤが、記憶部７３のユーザ情報記憶部７０１に記憶されているかどうかを判定する。
【００６５】
ステップＳＴ３０において、ユーザ管理部７１が、正規のユーザＩＤではないと判断した場合、つまり、ユーザＩＤが記憶されていない場合（ステップＳＴ３０の“ＮＯ”の場合）、ユーザ管理部７１は、使用不可と判断し、使用不可の通知をネットワークＩ／Ｆ部７０に出力し（ステップＳＴ２２）、ネットワークＩ／Ｆ部７０は、使用不可の通知を新映像受信装置１ｂへ送信する（ステップＳＴ０１５）。
一方、ユーザ管理部７１が、正規のユーザＩＤであると判断した場合、つまり、ユーザＩＤと旧映像受信装置１ａの機器ＩＤとが紐付けられて記憶されている場合（ステップＳＴ３０の“ＹＥＳ”の場合）、ユーザ管理部７１は、ユーザ情報記憶部７０１に、受信した新映像受信装置１ｂの機器ＩＤを登録する（ステップＳＴ３１）。つまり、図６に示すように、ユーザＩＤ（ＡＡ）、旧映像受信装置１ａの機器ＩＤ（ａａａａ）に対応付けて、新映像受信装置１ｂ（ｂｂｂｂ）を記憶させる。
【００６６】
このようにして、旧映像受信装置１ａおよび新映像受信装置１ｂの機器ＩＤがユーザ情報記憶部７０１に記憶されている状態となり、ユーザ管理部７１は、新映像受信装置１ｂによる記録装置３の使用を可とし、ステップＳＴ２３へ進む。そして、実施の形態１で説明したように、ステップＳＴ２３以降の処理を行い、ステップＳＴ２３において、ユーザ管理部７１が出力した使用可の通知と、ステップＳＴ２４においてコンテンツ管理情報が出力したコンテンツ管理情報とが、新映像受信装置１ｂへ送信される（ステップＳＴ０１４）。
【００６７】
以上のように、この実施の形態２によれば、映像配信サービスを提供する事業者が管理する管理サーバ７に、新たに使用されるようになった映像受信装置１、すなわち、新映像受信装置１ｂの機器ＩＤが登録されていなくても、新映像受信装置１ｂに、ユーザからユーザＩＤの入力を促すようにすることで、ユーザのチェックを行い、正規のユーザとみなされる場合には管理サーバ７に新映像受信装置１ｂの機器ＩＤを登録するようにすることで、新映像受信装置１ｂによる記録装置３の使用を許可する応答をする。この際、管理サーバ７は、使用を可とする通知とともにコンテンツ管理情報を新映像受信装置１ｂに送信し、新映像受信装置１ｂは、受信したコンテンツ管理情報を自機に反映して、記録装置３に記録された映像コンテンツが使用可能となる。
【００６８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６９】
１  映像受信装置、２  映像表示装置、３  記録装置、４  ルータ、５  ＩＰネットワーク、６  映像配信サーバ、７  管理サーバ、１０，７０  ネットワークＩ／Ｆ部、１１  表示処理部、１２  映像出力部、１３  記録装置Ｉ／Ｆ部、１４  記録装置処理部、１５，７３  記憶部、７１  ユーザ管理部、７２，１０４  コンテンツ管理情報処理部、１０１  記録装置照合部、１０２  問い合わせ部、１０３  機器ＩＤ書き込み部、７０１  ユーザ情報記憶部、７０２  コンテンツ管理情報記憶部。
【図１】
2015108935.tif 000003
【図２】
2015108935.tif 000004
【図３】
2015108935.tif 000005
【図４】
2015108935.tif 000006
【図５】
2015108935.tif 000007
【図６】
2015108935.tif 000008
【図７】
2015108935.tif 000009
【図８】
2015108935.tif 000010
【図９】
2015108935.tif 000011
【図１０】
2015108935.tif 000012
【図１１】
2015108935.tif 000013